(57)【要約】【課題】テレビジョンチューナの回路規模を小さくすると共に、周波数の低いバンド（ＶＨＦ−Ｌｏｗ）でのＭ結合回路を実現すること。【解決手段】複同調回路４は、配線基板３０上に同一の長さの２本の結合線路４３Ａ，４３Ｂをスパイラル状に二重巻きしたインダクタ４３を有すると共にインダクタ４３の２本の結合線路４３Ａ，４３Ｂ夫々の所定の位置とグラウンド間にスイッチングダイオード４４〜４７を有する。インダクタ４３は空芯コイルと比べて高いＭ結合度が得られ、周波数の低いＶＨＦ−ＬｏでのＭ結合回路の実現が可能となる。また、スイッチングダイオード４４〜４７をオン／オフ制御してインダクタ４３の物理長を変えることでＶＨＦ−Ｌｏ、ＶＨＦ−Ｈｉ、ＵＨＦの各バンドに対応でき、複同調回路４、同調回路２、ＦＥＴ３の１系統で回路構成が可能となり、テレビジョンチューナの回路規模を小さくできる。【選択図】図２
2010103613.tif 000002
【特許請求の範囲】
【請求項１】
入力端に接続された一次側同調回路と出力端に接続された二次側同調回路とを備えた複同調回路において、
前記一次側同調回路は、前記入力端とグラウンドとの間に接続された一次側容量素子と、前記入力端とグラウンドとの間に接続され、渦巻き状に形成された第一の結合線路からなる一次側インダクタとを有し、
前記二次側同調回路は、前記出力端とグラウンドとの間に接続された二次側容量素子と、前記出力端とグラウンドとの間に接続され、前記第一の結合線路と同じ渦巻き状に形成され第一の結合線路との間で互いの線路が交互に配置され当該第一の結合線路とＭ結合する第二の結合線路からなる二次側インダクタとを有し、
前記第一の結合線路における前記入力端との接続点から接地点までの線路長と、前記第二の結合線路における前記出力端との接続点から接地点までの線路長とが、同調周波数により変更可能であると共に、その線路長が同一長さであることを特徴とする複同調回路。
【請求項２】
前記第一の結合線路における線路長の切替え位置とグラウンドとの間に接続された第一のスイッチング素子と、前記第二の結合線路における線路長の切替え位置とグラウンドとの間に接続された第二のスイッチング素子と、を備えたことを特徴とする請求項１記載の複同調回路。
【請求項３】
前記入力端と前記第一の結合線路の線路長の切替え位置との間に接続された第一のスイッチング素子と、前記出力端と前記第二の結合線路の線路長の切替え位置との間に接続された第二のスイッチング素子と、を備えたことを特徴とする請求項１記載の複同調回路。
【請求項４】
前記容量素子が可変容量素子であることを特徴とする請求項１から請求項３のいずれかに記載の複同調回路。
【請求項５】
前記入力端にはテレビジョン放送信号が入力されることを特徴とする請求項１から請求項４のいずれかに記載の複同調回路。
【請求項６】
入力端とグラウンドとの間に接続され、渦巻き状に形成された第一の結合線路からなり、入力側と出力側とのインピーダンスを整合するインピーダンス調整用インダクタと、
出力端とグラウンドとの間に接続された容量素子と、
前記出力端とグラウンドとの間に接続され、前記第一の結合線路と同じ渦巻き状に形成され第一の結合線路との間で互いの線路が交互に配置され当該第一の結合線路とＭ結合する第二の結合線路からなる同調用インダクタと、を具備し、
前記第一の結合線路における前記入力端との接続点から接地点までの線路長と、前記第二の結合線路における前記出力端との接続点から接地点までの線路長とが、同調周波数により変更可能であると共に、その線路長が同一長さであることを特徴とする同調回路。
【発明の詳細な説明】
【技術分野】
【０００１】
本発明は、テレビジョンチューナに用いることのできる同調回路及び複同調回路に関する。
【背景技術】
【０００２】
従来、１つのチューナで複数の放送信号帯域（例えば、ＶＨＦ-Ｌｏｗ、ＶＨＦ-Ｈｉ、ＵＨＦの３バンド）を切り替えて受信するテレビジョンチューナがある。かかるテレビジョンチューナは、図５に示すように、同調回路５０ａ，増幅回路（ＦＥＴ：電界効果トランジスタ）５１ａ、複同調回路５２ａからなるＶＨＦ−Ｌｏｗの受信系と、同調回路５０ｂ，増幅回路５１ｂ、複同調回路５２ｂからなるＶＨＦ−Ｈｉの受信系と、同調回路５０ｃ，増幅回路５１ｃ、複同調回路５２ｃからなるＵＨＦの受信系とが並列に設けられた３系統の回路構成となっている。図６に示すように、各同調回路５０ａ，５０ｂ，５０ｃは、空芯コイルとバラクタダイオードとから構成されている。また、各複同調回路５２ａ，５２ｂ，５２ｃは、空芯コイルとバラクタダイオードとからなる一次側同調回路と、空芯コイルとバラクタダイオードとからなる二次側同調回路とで構成されている。
【０００３】
周波数の低いバンド（ＶＨＦ−Ｌｏｗ）では、空芯コイルによるＭ結合が困難であるため、一次側同調回路の空芯コイルと二次側同調回路の空芯コイルとをＬ結合（直接結合）させている。また、周波数の高いバンド（ＶＨＦ−Ｈｉ、ＵＨＦ）では、一次側同調回路の空芯コイルと二次側同調回路の空芯コイルとをＭ結合（電磁結合）させている。
【特許文献１】特開２００３−１１０４０８号公報
【発明の開示】
【発明が解決しようとする課題】
【０００４】
しかしながら、上述したテレビジョンチューナのように、バンド別に受信系統を構成したのでは、部品点数が多いために回路規模が大きくなるという問題がある。
また、同調回路に空芯コイルを使用しているため、周波数の低いバンド（ＶＨＦ−Ｌｏｗ）でのＭ結合回路を実現し難いという問題もある。すなわち、空芯コイルでは高いＭ結合度の確保が困難であるため、全バンドをＭ結合回路で実現することが困難であった。
【０００５】
本発明は、かかる点に鑑みてなされたものであり、テレビジョンチューナの回路規模を小さくすることができると共に、周波数の低いバンド（ＶＨＦ−Ｌｏｗ）でのＭ結合回路を実現することが可能な複同調回路および同調回路を提供することを目的とする。
【課題を解決するための手段】
【０００６】
本発明の複同調回路は、入力端に接続された一次側同調回路と出力端に接続された二次側同調回路とを備えた複同調回路において、前記一次側同調回路は、前記入力端とグラウンドとの間に接続された一次側容量素子と、前記入力端とグラウンドとの間に接続され、渦巻き状に形成された第一の結合線路からなる一次側インダクタとを有し、前記二次側同調回路は、前記出力端とグラウンドとの間に接続された二次側容量素子と、前記出力端とグラウンドとの間に接続され、前記第一の結合線路と同じ渦巻き状に形成され第一の結合線路との間で互いの線路が交互に配置され当該第一の結合線路とＭ結合する第二の結合線路からなる二次側インダクタとを有し、前記第一の結合線路における前記入力端との接続点から接地点までの線路長と、前記第二の結合線路における前記出力端との接続点から接地点までの線路長とが、同調周波数により変更可能であると共に、その線路長が同一長さであることを特徴とする。
【０００７】
この構成によれば、同一形状の渦巻き状に形成された第一及び第二の結合線路を、互いの線路が交互に配置されてＭ結合するように配置したので、高いＭ結合度を実現することができ、周波数の低いＶＨＦ−ＬｏでのＭ結合回路の実現が可能となる。したがって、第一の結合線路における前記入力端との接続点から接地点までの線路長と、第二の結合線路における前記出力端との接続点から接地点までの線路長を変えることで、同調周波数を変更することができ、１つの複同調回路で周波数の低いＶＨＦ−Ｌｏまで含んだバンド選択が可能になり、１つの受信系統でＶＨＦ−Ｌｏ、ＶＨＦ−Ｈｉ及びＵＨＦの全バンドを受信できることから回路規模を小さくすることができると共に低コスト化が可能となる。
【０００８】
また本発明は、上記複同調回路において、前記第一の結合線路における線路長の切替え位置とグラウンドとの間に接続された第一のスイッチング素子と、前記第二の結合線路における線路長の切替え位置とグラウンドとの間に接続された第二のスイッチング素子と、を備えたことを特徴とする。
【０００９】
この構成により、第一及び第二のスイッチング素子のオン／オフによって第一及び第二の結合線路における入力端から接地位置までの線路長及び出力端から接地位置までの線路長を切替えて同調周波数を変更することができる。
【００１０】
また本発明は、上記複同調回路において、前記入力端と前記第一の結合線路の線路長の切替え位置との間に接続された第一のスイッチング素子と、前記出力端と前記第二の結合線路の線路長の切替え位置との間に接続された第二のスイッチング素子と、を備えたことを特徴とする。
【００１１】
この構成により、第一及び第二のスイッチング素子のオン／オフによって第一及び第二の結合線路における切替え位置からグラウンドまでの線路長を切替えて同調周波数を変更することができる。
【００１２】
上記複同調回路において、前記容量素子として可変容量素子を用いることができる。また、前記入力端にテレビジョン放送信号を入力してバンド毎に選択受信しても良い。
【００１３】
本発明の同調回路は、入力端とグラウンドとの間に接続され、渦巻き状に形成された第一の結合線路からなり、入力側と出力側とのインピーダンスを整合するインピーダンス調整用インダクタと、出力端とグラウンドとの間に接続された容量素子と、前記出力端とグラウンドとの間に接続され、前記第一の結合線路と同じ渦巻き状に形成され第一の結合線路との間で互いの線路が交互に配置され当該第一の結合線路とＭ結合する第二の結合線路からなる同調用インダクタとを具備し、前記第一の結合線路における前記入力端との接続点から接地点までの線路長と、前記第二の結合線路における前記出力端との接続点から接地点までの線路長とが、同調周波数により変更可能であると共に、その線路長が同一長さであることを特徴とする。
【００１４】
この構成によれば、同一形状の渦巻き状に形成された第一及び第二の結合線路を、互いの線路が交互に配置されてＭ結合するように配置したので、高いＭ結合度を実現することができ、周波数の低いＶＨＦ−ＬｏでのＭ結合回路の実現が可能となる。
【発明の効果】
【００１５】
本発明によれば、テレビジョンチューナの回路規模を小さくすることができると共に、周波数の低いバンド（ＶＨＦ−Ｌｏｗ）でのＭ結合回路を実現することが可能な複同調回路および同調回路を提供できる。
【発明を実施するための最良の形態】
【００１６】
以下、本発明の実施の形態について添付図面を参照して詳細に説明する。
図１は、本発明の一実施の形態に係るテレビジョンチューナの概略的なブロック図であり、図２は図１に示すテレビジョンチューナの同調回路及び複同調回路の回路図である。本実施の形態に係るテレビジョンチューナ１は、インダクタとしてスパイラルコイルを内蔵しＶＨＦ−Ｌｏ、ＶＨＦ−Ｈｉ及びＵＨＦの各バンドに同調可能な同調回路２と、ＶＨＦ−Ｌｏ、ＶＨＦ−Ｈｉ及びＵＨＦの各バンドに対応できる周波数特性を有するＦＥＴ３と、インダクタとしてスパイラルコイルを内蔵しＶＨＦ−Ｌｏ、ＶＨＦ−Ｈｉ及びＵＨＦの各バンドに同調可能な複同調回路４とを備える。同調回路２の入力端５にはアンテナ側のローノイズアンプが接続される。複同調回路４の出力端６には混合器が接続される。
【００１７】
同調回路２は、可変容量ダイオード２１と、インダクタ２２と、ＰＩＮダイオードからなる高周波スイッチング用のスイッチングダイオード２３〜２６とを備えて構成される。可変容量ダイオード２１は、この同調回路２の出力側とグラウンドとの間に設けられる。この場合、可変容量ダイオード２１のカソードが同調回路２の出力側に接続され、アノードがグラウンドに接続される。
【００１８】
図３はインダクタ２２のパターン配置を示す平面図である。図３に示すように、インダクタ２２は、配線基板３０上に同一の長さの２本の結合線路２２Ａ，２２Ｂが互いに所定の距離を保ったままスパイラル状（渦巻き状）に配置してなる。インダクタ２２を構成する結合線路２２Ａの外側の一端（入力端（１））が入力端５に接続され、結合線路２２Ｂの外側の一端（入力端（２））がこの同調回路２の出力側（ＦＥＴ３側）に接続される。また、２本の結合線路２２Ａ，２２Ｂの内側端部であるそれぞれの他端がグラウンドに接続される。
【００１９】
スイッチングダイオード２３〜２６は、インダクタ２２の物理長を変えてＶＨＦ−Ｌｏ、ＶＨＦ−Ｈｉ及びＵＨＦの各バンドの切替えを行うためのものであり、インダクタ２２の２本の結合線路２２Ａ，２２Ｂそれぞれの所定の位置とグラウンド間に接続されている。結合線路２２Ａ上の点Ｐ１がスイッチングダイオード２３によってグラウンドに接続され、Ｐ２がスイッチングダイオード２４によってグラウンドに接続され、結合線路２２Ａの内側の端部であるＰ３が常に接地されている。また、結合線路２２Ｂ上の点Ｐ４がスイッチングダイオード２６によってグラウンドに接続され、Ｐ５がスイッチングダイオード２５によってグラウンドに接続され、結合線路２２Ｂの内側の端部であるＰ６が常に接地されている。
【００２０】
スイッチングダイオード２６は、結合線路２２Ｂが可変容量ダイオード２１と共にＵＨＦに同調する位置に接続されている。スイッチングダイオード２３は、スイッチングダイオード２６にて結合線路２２ＢがＰ１で接地された際にインピーダンス整合を取れる位置に接続されている。スイッチングダイオード２５は、結合線路２２Ｂが可変容量ダイオード２１と共にＶＨＦ−Ｈｉに同調する位置に接続されている。スイッチングダイオード２４は、スイッチングダイオード２５にて結合線路２２ＢがＰ５で接地された際にインピーダンス整合を取れる位置に接続されている。結合線路２２Ｂそのものの物理長はＶＨＦ−Ｌｏの周波数に同調する長さになっている。このように、スイッチングダイオード２３〜２６のオン／オフによってインダクタ２２の物理長が変化してＶＨＦ−Ｌｏ、ＶＨＦ−Ｈｉ、ＵＨＦの各バンドに同調する。なお、スイッチングダイオード２３〜２６としては、オン時の抵抗Ｒｓが小さく、オフ時の端子間容量の小さいＰＩＮ（P-Intrinsic-N）ダイオードが好適である。
【００２１】
スイッチングダイオード２３〜２６は同期してオン／オフ制御される。ＶＨＦ−Ｌｏを受信する場合は、スイッチングダイオード２３〜２６の全てがオフとなるように制御される。ＶＨＦ−Ｈｉを受信する場合は、スイッチングダイオード２３及び２６がオフのままでスイッチングダイオード２４及び２５がそれぞれオンとなるように制御される。ＵＨＦを受信する場合は、スイッチングダイオード２３及び２６がオンとなるように制御される。
【００２２】
一方、複同調回路４は、一次側可変容量ダイオード４１及び二次側可可変容量ダイオード４２と、一次側インダクタ４３Ａ及び二次側インダクタ４３Ｂと、スイッチングダイオード４４〜４７とを備えて構成される。複同調回路４の入力側とグラウンドとの間に設けられた可変容量ダイオード４１と一次側インダクタ４３Ａとで一次側同調回路を構成し、複同調回路４の出力側とグラウンドとの間に設けられた可変容量ダイオード４２と二次側インダクタ４３Ｂとで二次側同調回路を構成している。
【００２３】
インダクタ４３Ａ，４３Ｂは、前述した同調回路２のインダクタ２２と同様に構成されるものであり、図３に示すように、配線基板４０上に同一の長さの２本の結合線路４３Ａ，４３Ｂがスパイラル状に形成されたものである。インダクタ４３を構成する結合線路４３Ａの一端（入力端（１））がこの複同調回路４の入力側に接続され、結合線路４３Ｂの一端（入力端（２））がこの複同調回路４の出力側に接続される。また、２本の結合線路４３Ａ，４３Ｂのそれぞれの他端がグラウンドに接続される。
【００２４】
スイッチングダイオード４４〜４７は、インダクタ４３の２本の結合線路４３Ａ，４３Ｂそれぞれの所定の位置Ｐ１１、Ｐ２２、Ｐ４４、Ｐ５５とグラウンド間に接続されている。スイッチングダイオード４４〜４７は、インダクタ４３の物理長を変えてＶＨＦ−Ｌｏ、ＶＨＦ−Ｈｉ及びＵＨＦの各バンドの切替えを行う。結合線路４３Ａ上の点Ｐ１１がスイッチングダイオード４４によってグラウンドに接続され、Ｐ２２がスイッチングダイオード４５によってグラウンドに接続され、結合線路４３Ａの内側の端部であるＰ３３が常に接地されている。また、結合線路４３Ｂ上の点Ｐ４４がスイッチングダイオード４７によってグラウンドに接続され、Ｐ５５がスイッチングダイオード４６によってグラウンドに接続され、結合線路４３Ｂの内側の端部であるＰ６６が常に接地されている。
【００２５】
一次側同調回路のスイッチングダイオード４４は、結合線路４３Ａが可変容量ダイオード４１と共にＵＦＨに同調する位置（Ｐ１１）に接続され、二次側同調回路のスイッチングダイオード４７は、結合線路４３Ｂが可変容量ダイオード４２と共にＵＦＨに同調する位置（Ｐ４４）に接続されている。一次側同調回路のスイッチングダイオード４５は、結合線路４３Ａが可変容量ダイオード４１と共にＶＨＦ−Ｈｉに同調する位置（Ｐ２２）に接続され、二次側同調回路のスイッチングダイオード４６は、結合線路４３Ｂが可変容量ダイオード４２と共にＶＨＦ−Ｈｉに同調する位置（Ｐ５５）に接続されている。インダクタ４３そのものの物理長はＶＨＦ−Ｌｏの周波数に同調する長さになっている。
【００２６】
このように、スイッチングダイオード４４〜４７のオン／オフによってインダクタ４３の物理長が変化してＶＨＦ−Ｌｏ、ＶＨＦ−Ｈｉ、ＵＨＦの各バンドに同調する。なお、スイッチングダイオード４４〜４７としても、オン時の抵抗Ｒｓが小さく、オフ時の端子間容量の小さいスイッチングダイオードが好適である。
【００２７】
スイッチングダイオード４４〜４７は同期してオン／オフするように制御される。ＶＨＦ−Ｌｏを受信する場合は、スイッチングダイオード４４〜４７の全てがオフとなるように制御される。ＶＨＦ−Ｈｉを受信する場合は、スイッチングダイオード４４及び４７がオフのままでスイッチングダイオード４５及び４６がそれぞれオンとなるように制御される。ＵＨＦを受信する場合は、スイッチングダイオード４４及び４７がオンとなるように制御される。
【００２８】
ＦＥＴ３は、そのゲートが同調回路２の出力端に接続され、ドレインが複同調回路４の入力端に接続され、ソースが接地されている。ＦＥＴ３は、ＶＨＦ−Ｌｏ、ＶＨＦ−Ｈｉ、ＵＨＦの全バンドに対応できる周波数特性を有するものである。
【００２９】
以上のように、同調回路２及び複同調回路４において、２つの結合線路２２Ａ（４３Ａ），２２Ｂ（４３Ｂ）を交互にスパイラル状に配置してなるインダクタ２２（４３）は、インダクタに空芯コイルを用いた場合に比べて高いＭ結合度が得られ、ＶＨＦ−ＬｏでもＭ結合回路の実現が可能となる。例えば、インダクタ２２を図４に示す寸法にて構成する。インダクタ２２の縦方向の寸法Ｄａを４．７ｍｍ、横方向の寸法Ｄｂを４．７ｍｍ、結合線路２２Ａ及び２２Ｂそれぞれの線路幅Ｗを０．３ｍｍ、結合線路２２Ａ及び２２Ｂそれぞれの線間距離Ｓを０．６ｍｍとした場合、結合線路２２Ａの及び２２ＢのインダクタンスＬ１，Ｌ２がそれぞれ２０．５２（ｎＨ）、結合係数Ｍは１２．５４（ｎＨ）となった。この結合係数Ｍの値は一般的な空芯コイルの結合係数Ｍの数倍である。複同調回路４においても結合線路４３Ａと４３Ｂ間において同様の高いＭ結合度を実現できる。
【００３０】
このように、結合線路間で高いＭ結合度が得られ、ＶＨＦ−Ｌｏ、ＶＨＦ−Ｈｉ、ＵＨＦの全バンドにＭ結合回路を適用できる。このため、図３に示すように２つの結合線路２２Ａ（４３Ａ），２２Ｂ（４３Ｂ）を交互にスパイラル状に配置してなるインダクタ２２（４３）とコイルの長さを切り替えるスイッチングダイオードスイッチングダイオード２３〜２６及び４４〜４７とを組み合わせた同調回路２及び複同調回路４によってＶＨＦ−Ｌｏ、ＶＨＦ−Ｈｉ、ＵＨＦの全バンドを切り替えて受信することができる。
【００３１】
以上のように構成されたテレビジョンチューナ１では、入力端５にはテレビジョン放送信号が入力され、出力端６からは選局したテレビジョン放送信号が出力される。このテレビジョン放送信号は図示せぬ混合回路に入力される。ＵＨＦの受信時には、スイッチングダイオード２３及び２６、４４及び４７がオンされる。同調回路２では結合線路２２ＡがＰ１にて接地されると共に結合線路２２ＢがＰ４にて接地され、ＵＨＦ帯に同調してＵＨＦ信号が取り出される。同調回路２で取り出されたＵＨＦ信号がＦＥＴ３のゲートに印加され、ＵＨＦ信号が増幅されて複同調回路４の一次側同調回路に導入される。複同調回路４の一次側同調回路では結合線路４３ＡがＰ１１で接地され、二次側同調回路では結合線路４３ＢがＰ４４で接地され、一次側及び二次側同調回路においてＵＨＦ帯に同調してＵＨＦ信号が取り出される。
【００３２】
また、ＶＨＦ−Ｈｉの受信時には、スイッチングダイオード２３及び２６、４４及び４７がオフされると共に、スイッチングダイオード２４、２５及び４５、４６がオンされる。同調回路２では結合線路２２ＡがＰ２にて接地されると共に結合線路２２ＢがＰ５にて接地され、ＶＨＦ−Ｈｉ帯に同調してＶＨＦ−Ｈｉ信号が取り出される。同調回路２で取り出されたＶＨＦ−Ｈｉ信号がＦＥＴ３のゲートに印加され、ＶＨＦ−Ｈｉ信号が増幅されて複同調回路４の一次側同調回路に導入される。複同調回路４の一次側同調回路では結合線路４３ＡがＰ２２で接地され、二次側同調回路では結合線路４３ＢがＰ５５で接地され、一次側及び二次側同調回路においてＶＨＦ−Ｈｉ帯に同調してＵＨＦ信号が取り出される。
【００３３】
また、ＶＨＦ−Ｌｏの受信時には、全てのスイッチングダイオード２３〜２６、４４〜４７をオフさせる。同調回路２では結合線路２２ＡがＰ３にて接地されると共に結合線路２２ＢがＰ６にて接地され、ＶＨＦ−Ｌｏ帯に同調してＶＨＦ−Ｌｏ信号が取り出される。同調回路２で取り出されたＶＨＦ−Ｌｏ信号がＦＥＴ３のゲートに印加され、ＶＨＦ−Ｌｏ信号が増幅されて複同調回路４の一次側同調回路に導入される。複同調回路４の一次側同調回路では結合線路４３ＡがＰ３３で接地され、二次側同調回路では結合線路４３ＢがＰ６６で接地され、一次側及び二次側同調回路においてＶＨＦ−Ｌｏ帯に同調してＶＨＦ−Ｌｏ信号が取り出される。
【００３４】
このように本実施の形態のテレビジョンチューナ１では、同調回路２のスイッチングダイオード２３〜２６及び複同調回路４のスイッチングダイオード４４〜４７をオン／オフ制御して、インダクタ２２及び４３のそれぞれの２本の結合線路の入力端とグラウンド間及び出力端とグラウンド間のそれぞれの長さを変えるので、ＶＨＦ−Ｌｏ、ＶＨＦ−Ｈｉ、ＵＨＦの各バンドへの切替えができる。そして、同調回路２及び複同調回路４においてインダクタ２２，４３をそれぞれ２つの結合線路のスパイラルパターンで構成するので、ＶＨＦ−Ｌｏ、ＶＨＦ−Ｈｉ及びＵＨＦの全バンドをＭ結合回路で対応でき、回路規模を小さくすることが可能となると共に低コスト化が可能となる。
【００３５】
また、インダクタ２２，４３はスパイラル状に巻回した２本の結合線路からなるため、高いＭ結合度が得られ、周波数の低いＶＨＦ−ＬｏでのＭ結合回路の実現が可能となる。なお、空芯コイルはＶＨＦ−Ｌｏで十分なＭ結合度が得られないためＭ結合回路の実現が困難であり、従来のテレビジョンチューナではＶＨＦ−Ｌｏにチップインダクタを使用してＬ結合回路を実現している。
【００３６】
また、同調回路２及び複同調回路４は、ＶＨＦ−Ｌｏ、ＶＨＦ−Ｈｉ、ＵＨＦの全バンドをカバーするので、１つのＦＥＴ３で対応することで、受信系を１系統で構成でき、バンド別に同調回路、ＦＥＴ、複同調回路の受信系統を構成する場合に比べて大幅なコストダウンが図れる。
【００３７】
なお、本実施の形態では、同調回路２において、２本の結合線路２２Ａ，２２Ｂそれぞれの所定の位置とグラウンド間にスイッチングダイオード２３〜２６を接続したが、２本の結合線路２２Ａ，２２Ｂそれぞれの所定の位置と入力側及び所定の位置と出力側との間にスイッチングダイオード２３〜２６を接続してもよい。また同様に、複同調回路４において、２本の結合線路４３Ａ，４３Ｂそれぞれの所定の位置とグラウンド間にスイッチングダイオード４４〜４７を接続したが、２本の結合線路４３Ａ，４３Ｂそれぞれの所定の位置と入力側及び所定の位置と出力側との間にスイッチングダイオード４４〜４７を接続してもよい。
【産業上の利用可能性】
【００３８】
本発明は、テレビジョンチューナの同調回路及び複同調回路に適用可能である。
【図面の簡単な説明】
【００３９】
【図１】本発明の一実施の形態に係るテレビジョンチューナの概略構成を示すブロック図
【図２】図１のテレビジョンチューナの同調回路及び複同調回路の詳細な構成を示す回路図
【図３】図１のテレビジョンチューナの同調回路及び複同調回路が有するインダクタを示す平面図
【図４】図１のテレビジョンチューナの同調回路及び複同調回路が有するインダクタの具体例を示す斜視図
【図５】従来のテレビジョンチューナの概略構成を示すブロック図
【図６】図５のテレビジョンチューナの同調回路及び複同調回路の詳細な構成を示す回路図
【符号の説明】
【００４０】
１…テレビジョンチューナ
２…同調回路
３…ＦＥＴ
４…複同調回路
５…入力端
６…出力端
２１…可変容量ダイオード
２２…インダクタ
２２Ａ、２２Ｂ…結合線路
２３〜２６…スイッチングダイオード
３０…配線基板
４１、４２…可変容量ダイオード
４３…インダクタ
４３Ａ、４３Ｂ…結合線路
４４〜４７…スイッチングダイオード
【図１】
2010103613.tif 000003
【図２】
2010103613.tif 000004
【図３】
2010103613.tif 000005
【図４】
2010103613.tif 000006
【図５】
2010103613.tif 000007
【図６】
2010103613.tif 000008